(57)【要約】【課題】  電子体温計において、体温を測定する際の利便性を損なうことなく、ユーザにとってより発熱がわかりやすい表示を実現することを目的とする。【解決手段】  配列された複数のＬＥＤを備える発光部２５２と、電子体温計１００が振られたことを検出する振れ検出部２３０と、各ＬＥＤの発光を制御する表示制御部２４４と、を備え、表示制御部２４４は、更に、発光ドットパターンを生成する手段と、振れ検出部２３０による検出結果に基づいて算出された、ＬＥＤの１ドット列当たりの発光時間を算出する手段と、測定された体温に対応する発光色を選択する手段と、を備え、発光部２５２が、前記生成された発光ドットパターンと、前記算出された１ドット列当たりの発光時間とに基づいて、前記選択された発光色により発光されるよう、各ＬＥＤの発光を制御することを特徴とする。【選択図】図２
2010210525.tif 000002
【特許請求の範囲】
【請求項１】
被検者の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、を備え、
前記発光制御手段は、
測定された前記被検者の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、
測定された前記被検者の体温に関する情報に基づいて、前記発光素子の発光色を選択する選択手段と、を備え、
前記振れ検出手段が前記電子体温計が振られたことを検出した場合に、前記生成された発光ドットパターンと、前記算出された１ドット列当たりの発光時間とに基づいて、前記選択された発光色により発光されるよう、前記各発光素子の発光を制御することを特徴とする電子体温計。
【請求項２】
被検者の体温を測定する電子体温計であって、
配列された複数の発光素子を備える発光手段と、
前記電子体温計が振られたことを検出するとともに、振れ速度がゼロとなった位置を基準位置として、該基準位置からの距離を算出する振れ検出手段と、
前記発光手段が備える各発光素子の発光を制御する発光制御手段と、を備え、
前記発光制御手段は、
測定された前記被検者の体温に関する情報を表現するために、前記電子体温計の振れ方向における前記発光素子のドット列から構成された発光ドットパターンであって、該各ドット列の前記基準位置からの距離が規定された発光ドットパターンを生成する生成手段と、
測定された前記被検者の体温に関する情報に基づいて、前記発光素子の発光色を選択する選択手段と、を備え、
前記振れ検出手段により算出された距離が、前記発光ドットパターンを構成する各ドット列について規定された前記基準位置からの距離に一致した場合に、前記各発光素子を、対応するドット列に従って、前記選択された発光色により発光するよう制御することを特徴とする電子体温計。
【請求項３】
前記選択手段は、前記測定された前記被検者の体温に関する情報と、予め定められた基準体温との比較に基づいて、前記発光素子の発光色を選択することを特徴とする請求項１または２に記載の電子体温計。
【請求項４】
前記発光手段は、配列された複数の発光素子である発光素子列が、並列に複数配されており、各発光素子列は、互いに異なる発光色により発光するよう構成されていることを特徴とする請求項１または２に記載の電子体温計。
【請求項５】
前記発光制御手段は、前記発光手段が備える複数の発光素子列のうち、前記選択された発光色に対応する発光素子列に切り替えて発光を制御することを特徴とする請求項４に記載の電子体温計。
【請求項６】
前記発光手段は、互いに発光色の異なる複数の発光素子からなる発光素子群であって、該複数の発光素子から発光される光が混色されて放射されるように配置された発光素子群が複数配列されて構成されていることを特徴とする請求項１または２に記載の電子体温計。
【請求項７】
前記発光制御手段は、前記発光素子群を構成する複数の発光素子から発光された光が混色されることにより、前記選択された発光色となるように、該複数の発光素子それぞれに印加する電流値を調整することを特徴とする請求項６に記載の電子体温計。
【請求項８】
配列された複数の発光素子を備える発光手段と、電子体温計が振られたことを検出する振れ検出手段と、前記発光手段が備える各発光素子の発光を制御する発光制御手段と、を備え、被検者の体温を測定する電子体温計における表示制御方法であって、
測定された前記被検者の体温に関する情報に基づいて発光ドットパターンを生成する生成工程と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出工程と、
測定された前記被検者の体温に関する情報に基づいて、前記発光素子の発光色を選択する選択工程と、
前記振れ検出手段が前記電子体温計が振られたことを検出した場合に、前記生成された発光ドットパターンと、前記算出された１ドット列当たりの発光時間とに基づいて、前記選択された発光色により発光されるよう、前記各発光素子の発光を制御する制御工程と
を備えることを特徴とする表示制御方法。
【請求項９】
配列された複数の発光素子を備える発光手段と、電子体温計が振られたことを検出するとともに、振れ速度がゼロとなった位置を基準位置として、該基準位置からの距離を算出する振れ検出手段と、前記発光手段が備える各発光素子の発光を制御する発光制御手段と、を備え、被検者の体温を測定する電子体温計における表示制御方法であって、
測定された前記被検者の体温に関する情報を表現するために、前記電子体温計の振れ方向における前記発光素子のドット列から構成された発光ドットパターンであって、該各ドット列の前記基準位置からの距離が規定された発光ドットパターンを生成する生成工程と、
測定された前記被検者の体温に関する情報に基づいて、前記発光素子の発光色を選択する選択工程と、
前記振れ検出手段により算出された距離が、前記発光ドットパターンを構成する各ドット列について規定された前記基準位置からの距離に一致した場合に、前記各発光素子を、対応するドット列に従って、前記選択された発光色により発光するよう制御する制御工程と
を備えることを特徴とする表示制御方法。
【請求項１０】
請求項８または９に記載の表示制御方法をコンピュータによって実行させるためのプログラムを格納したコンピュータ読取可能な記憶媒体。
【発明の詳細な説明】
【技術分野】
【０００１】
本発明は、被検者の体温を測定する電子体温計に関するものである。
【背景技術】
【０００２】
従来より、電子体温計にはＬＣＤ等の表示部が設けられており、測定された被検者の体温等の情報をユーザに表示することができるよう構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、ユーザにとっては、必ずしも発熱がわかりやすい表示となっていない。特に、周辺環境が暗い場合にあっては、表示された情報を読み取ることが困難な状況となっている。
【０００５】
一方、寸法を大きくしたり、カラーＬＣＤを用いたり、また、バックライトを明るくしたりすることで、ユーザにとってより見やすい表示部を実現することは可能であるが、この場合、電子体温計の外形が大きくなったり、構造が複雑になったり、また、高価なカラードットマトリックスＬＣＤを用いることでコストがかかったり、消費電力が増大し電池交換が必要になるなど、ユーザにとっての利便性が損なわれる結果となる。
【０００６】
本発明は上記課題に鑑みてなされたものであり、電子体温計において、ユーザの利便性を損なうことなく、より発熱がわかりやすい表示を実現することを目的とする。
【課題を解決するための手段】
【０００７】
上記の目的を達成するために、本発明に係る測定装置は以下のような構成を備える。即ち、
被検者の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、を備え、
前記発光制御手段は、
測定された前記被検者の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、
測定された前記被検者の体温に関する情報に基づいて、前記発光素子の発光色を選択する選択手段と、を備え、
前記振れ検出手段が前記電子体温計が振られたことを検出した場合に、前記生成された発光ドットパターンと、前記算出された１ドット列当たりの発光時間とに基づいて、前記選択された発光色により発光されるよう、前記各発光素子の発光を制御することを特徴とする。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計１００の外観構成の一例を示す図である。
【図２】本発明の第１の実施形態に係る電子体温計１００のシステム構成を示す図である。
【図３】電子体温計１００を長手方向と略直交する方向に、電子体温計１００の姿勢を維持した状態で往復で振られた場合に、発光部２５２の発光によってユーザに視認される表示内容の一例を示した図である。
【図４】信号処理部２３２における信号処理の内容を説明するための図である。
【図５】表示制御部２４４において生成された発光ドットパターンの一例を示す図である。
【図６】測定された被検者の体温に応じて、発光色を選択する際に用いられるテーブルの一例を示す図である。
【図７】表示制御部２４４における、発光開始から発光完了までの発光制御処理の内容を説明するための図である。
【図８】表示制御部２４４における、発光開始から発光完了までの発光制御処理の内容を説明するための図である。
【図９】表示制御部２４４における、発光開始から発光完了までの発光制御処理の内容を説明するための図である。
【図１０】表示制御部２４４における、発光開始から発光完了までの発光制御処理の内容を説明するための図である。
【図１１】表示制御部２４４における、発光開始から発光完了までの発光制御処理の内容を説明するための図である。
【図１２】電子体温計１００の体温測定処理の流れを示すフローチャートである。
【図１３】測定された体温を発光部２５２において可視化するための、表示制御部２４４における可視化処理の流れを示すフローチャートである。
【図１４】本発明の第２の実施形態に係る電子体温計１４００の外観構成の一例を示す図である。
【図１５】電子体温計１４００の発光部の断面構成を示す図である。
【図１６】測定された被検者の体温に応じて、発光色を選択する際に用いられる、体温と発光色との関係を示す図である。
【図１７】測定された体温を発光部２５２において可視化するための、表示制御部２４４における可視化処理の流れを示すフローチャートである。
【図１８】信号処理部２３２における信号処理の内容を説明するための図である。
【図１９】表示制御部２４４において生成された発光ドットパターンの一例を示す図である。
【図２０】表示制御部２４４における、発光開始から発光完了までの発光制御処理の内容を説明するための図である。
【図２１】表示制御部２４４における、発光開始から発光完了までの発光制御処理の内容を説明するための図である。
【図２２】表示制御部２４４における、発光開始から発光完了までの発光制御処理の内容を説明するための図である。
【図２３】表示制御部２４４における、発光開始から発光完了までの発光制御処理の内容を説明するための図である。
【図２４】表示制御部２４４における、発光開始から発光完了までの発光制御処理の内容を説明するための図である。
【図２５】測定された体温を発光部２５２において可視化するための、表示制御部２４４における可視化処理の流れを示すフローチャートである。
【発明を実施するための形態】
【００１０】
以下、本発明の一実施形態について図面を参照しながら説明する。
【００１１】
１．電子体温計の外観構成
図１は、本発明の第１の実施形態に係る電子体温計１００の外観構成の一例を示す図である。
【００１２】
図１において、１０１は、被検者の体温に関する情報を表示する表示部であり、例えば、ＬＣＤ等により構成されている。
【００１３】
１０２は発光部であり、電子体温計１００の長手方向に配列されたＬＥＤ等の発光素子の列（発光素子列）が、電子体温計１００の幅方向に３列配列されている。発光素子列は、それぞれ異なる発光色の光を発光するように構成されているものとする。本実施形態では、１列目（表示部１０１に近い側）が、赤色に発光する発光素子列であり、２列目が、緑色に発光する発光素子列であり、３列目が、青色に発光する発光素子列であるものとする。ただし、各発光素子列の発光色はこれに限定されるものではなく他の発光色であってもよい。
【００１４】
また、図１の例では、各発光素子列として発光素子が電子体温計１００の長手方向に７個配列された場合について図示しているが、電子体温計１００の長手方向に配列される発光素子の数は７個に限られない。
【００１５】
更に、図１の例では、発光素子列を、電子体温計１００の幅方向に３列配列した場合について図示しているが、発光素子列の配列数は３列に限られず、２列以上であれば何列であってもよい。
【００１６】
１０３はエンドキャップであり、内蔵された温度計測部（詳細は後述）に対して被検者の体温が伝導しやすいように、ステンレスなどの金属により構成されている。
【００１７】
１０４はＯＮ／ＯＦＦスイッチであり、体温の測定を開始する際、又は体温の測定を終了した後に押すことで、電子体温計１００の電源を制御する。
【００１８】
２．電子体温計のシステム構成
次に、電子体温計のシステム構成について図２を参照しながら説明する。
【００１９】
図２は、本発明の第１の実施形態に係る電子体温計１００のシステム構成を示す図である。
【００２０】
電子体温計１００は、電源部２１０と温度計測部２２０と振れ検出部２３０と演算制御部２４０と、出力部２５０と、ブザー２６０とに大別することができる。
【００２１】
電源部２１０は、従来の使い捨て式又は充電式の電池を内蔵しており、電子体温計１００の各部に電源を供給する。
【００２２】
温度計測部２２０は、サーミスタ、コンデンサ、測温用ＣＲ発振回路等から構成されており、サーミスタにより検出された温度を発振信号として出力する。出力された発振信号はカウンタ２４５においてカウントされることで、デジタル量として出力される。なお、温度計測部２２０の構成は一例であって、これに限定されるものではない。
【００２３】
演算制御部２４０は、体温測定に必要なパラメータを格納したＥＥＰＲＯＭ２４１、計測した温度を時系列で記憶するためのＲＡＭ２４２、予測式の体温測定プログラム等を格納したＲＯＭ２４３、出力部２５０を制御するための表示制御部２４４、温度計測部２２０より出力された発振信号をカウントするカウンタ２４５、ＲＯＭ２４３の体温測定プログラムに従いＥＥＰＲＯＭ２４１に格納されたパラメータに従って演算を行う演算処理部２４６、カウンタ２４５や表示制御部２４４を制御する制御回路２４７等を備える。
【００２４】
ブザー２６０は、体温測定が終了したことを、鳴動により被検者に知らせる。
【００２５】
振れ検出部２３０は、モーション・センサ２３１と、信号処理部２３２とを備える。モーション・センサ２３１としては、例えば、加速度センサや傾斜センサ等が用いられるものとする。
【００２６】
信号処理部２３２は、モーション・センサ２３１が検出した電子体温計１００の振れを信号として受信し、当該信号に基づいて、発光部２５２の発光開始のタイミングならびに各発光素子の１ドット列当たりの発光時間を規定するための信号（振れ方向の変更タイミングを示す信号（詳細は後述））を表示制御部２４４に出力する。
【００２７】
出力部２５０は、従来の表示方法（ＬＣＤ等）で体温に関する情報を表示する表示部２５１と、ユーザの目の残像効果を利用して体温に関する情報を可視化する発光部２５２とを含む。
【００２８】
表示部２５１（図１の表示部１０１に対応する）は、ＬＣＤ等により構成され、表示制御部２４４から受信した体温に関する情報を表示する。
【００２９】
発光部２５２（図１の発光部１０２に対応する）は、複数（本実施形態では７個）の発光素子から構成される発光素子列２５２Ａ〜２５２Ｃを備える。本実施形態においては、発光素子列２５２Ａが赤色に発光し、発光素子列２５２Ｂが緑色に発光し、発光素子列２５２Ｃが青色に発光するものとする。
【００３０】
各発光素子列は、電子体温計１００が往復で振られた（往復運動した）際に、被検者の体温に関する情報をユーザが視認できるように、表示制御部２４４にて生成された発光ドットパターン、発光時間及び発光開始タイミング／発光完了タイミングに基づいて発光する（詳細は後述）。
【００３１】
なお、本実施形態における電子体温計１００では、測定された体温に応じて、制御対象が３つの発光素子列２５２Ａ〜２５２Ｃのいずれか一列のみに切り替えられ、当該切り替えられた発光素子列によって発光が行われるものとする。
【００３２】
つまり、表示制御部２４４は、表示部２５１の表示を制御する表示制御機能と、発光部２５２のいずれかの発光素子列の発光を制御するよう切り替える切り替え機能と、当該切り替えた発光素子列の発光を制御する発光制御機能とを有している。
【００３３】
このように、発光部２５２のいずれかの発光素子列が発光している状態で、ユーザが電子体温計１００を往復で振ることで、ユーザは、目の残像効果の影響により、被検者の体温に関する情報を空間上において赤色または緑色または青色の文字として視認することができる。
【００３４】
なお、電子体温計１００のように発光部１０２を備える構成の場合、必ずしも表示部２５１を設ける必要はなく、表示部２５１は省略しても良い。このように、表示部２５１を省略することで、電子体温計１００では、表示部を配するための幅又は大きさを維持する必要が無くなるため、外形寸法を更に小さくすることができる。
【００３５】
３．発光部の発光により視認される表示内容
次に、電子体温計１００の発光部２５２の発光素子列の発光により視認される表示内容について、図面を参照しながら説明する。
【００３６】
図３は電子体温計１００を長手方向と略直交する方向（以下、横方向と称す）に、電子体温計１００の姿勢を維持した状態で、電子体温計１００を往復で振った場合に、発光部２５２の発光素子列の発光によってユーザに視認される表示内容の一例を示した図である。
【００３７】
発光部２５２では、電子体温計１００が横方向に往復で振られているうちの、所定方向の振れ（ここでは、紙面左側から右側への振れ、以下、右振れと称す）の間、被検者の体温に関する情報に対応する発光ドットパターンと、後述する１ドット列あたりの発光時間とに基づいて、いずれかの発光素子列が発光する。これにより、その発光を見たユーザは、目の残像効果の影響により、該被検者の体温に関する情報を赤色または緑色または青色の文字として視認することができる。
【００３８】
なお、図３の例は、電子体温計１００を横方向に往復で振ることで、振れ範囲内の空間上に、“３８．５℃”という表示が浮かび上がって見える様子を示している。
【００３９】
図３に示すように、電子体温計１００の発光部２５２を構成するいずれかの発光素子列は、電子体温計１００の右振れが完了するまでの間に、それぞれ対応する発光タイミングにおいて発光する。なお、本実施形態では紙面右側から左側への振れ（以下、左振れと称す）の間は、いずれの発光素子列も発光しないものとする。
【００４０】
このように、発光素子列は、対応する発光タイミングにおいて、一瞬（１ドット列当たりの発光時間分）発光するだけであるが、ユーザの目の残像効果の影響により、それぞれの発光タイミングで発光した光が残像として残るため、ユーザには、連続した文字として視認されることとなる。以下、電子体温計１００を横方向に往復で振った場合の、信号処理部２３２及び表示制御部２４４における処理の詳細について説明する。
【００４１】
４．信号処理部における信号処理
まず、発光部２５２における発光開始／発光完了のタイミングならびに発光素子列を構成する各発光素子の発光時間を規定するための信号（振れ方向の変更タイミングを示す信号）を出力する信号処理部２３２における信号処理の内容について説明する。
【００４２】
図４は、信号処理部２３２における信号処理の内容を説明するための図である。図４の（Ａ−１）は、モーション・センサ２３１が傾斜センサであった場合に、ユーザによって電子体温計１００が往復で振られた際のモーション・センサ２３１の出力を示した図である。また、図４の（Ａ−２）は、モーション・センサ２３１が加速度センサであった場合に、ユーザによって電子体温計１００が往復で振られた際のモーション・センサ２３１の出力を示した図である。
【００４３】
上述したように、電子体温計１００では、横方向の往復の振れのうち、右振れの間、発光部２５２の発光素子列の発光を制御する。これに対応するため、信号処理部２３２では、左振れしていた電子体温計１００の振れ方向が右振れに変更されたタイミング（振れ方向の変更タイミング）を検出する。
【００４４】
図４の（Ａ−１）に示すように、本実施形態に係る傾斜センサでは、左振れしていた電子体温計１００の振れ方向が、右振れに変更された場合に、これを検出し、ＯＮ信号として出力するよう構成されている。
【００４５】
このため、信号処理部２３２では、傾斜センサより出力されたＯＮ信号を検出し、これを表示制御部２４４に出力する（図４の（Ｂ）参照）。
【００４６】
一方、モーション・センサ２３１が加速度センサであった場合には、図４の（Ａ−２）に示すように、電子体温計１００の往復の振れに応じて、正弦波状の信号が出力される。
【００４７】
このため、信号処理部２３２では、加速度センサより出力された信号を微分処理し、微分処理の結果がゼロになるタイミング（つまり、加速度センサより出力された信号の傾きがゼロになるタイミング）を検出する。
【００４８】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。
【００４９】
このうち、信号処理部２３２では、左振れしていた電子体温計１００の振れ方向が、右振れに変更されたタイミングのみを抽出して、表示制御部２４４に出力する（図４の（Ｂ）参照）。
【００５０】
なお、本発明は、モーション・センサ２３１として上述のような傾斜センサや加速度センサが用いられることに限定されるものではなく、例えば角速度センサ（ジャイロスコープ）のように、電子体温計１００の振れを検出できる他のセンサが用いられてもよい。
【００５１】
５．表示制御部において生成される発光ドットパターン
次に、表示制御部２４４において生成される発光ドットパターンについて説明する。図５は、表示制御部２４４において生成される発光ドットパターンの一例を示す図である。
【００５２】
図５に示すように、発光ドットパターンは、発光部２５２のいずれかの発光素子列により可視化される仮想的な表示領域における表示であり、発光素子列として配列された発光素子の数と、所定の方向に振られている間の発光素子の発光回数であるドット列数とにより規定される。
【００５３】
図５において、黒い丸及び白い丸は、電子体温計１００が横方向の振れに伴って移動した場合の、各発光タイミングにおける発光素子の位置を示している。本実施形態では、１文字（ただし、「点」は除く）を表現するのに、横方向５ドットと縦方向７ドット（７つの発光素子）とを用いるものとする。また、横方向の文字と文字の間には、２ドット列数分の発光素子の空白が設けられているものとする。
【００５４】
このため、体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【００５５】
つまり、電子体温計１００の右振れが開始してから完了するまでの間に、発光素子は、３３ドット列数からなる発光ドットパターンを出力することとなる。このため、１ドット列数分の発光時間（つまり、各発光素子の１ドット列当たりの発光時間ｔ）は、電子体温計１００の右振れが開始してから完了するまでにかかる振れ時間をＴとすると、Ｔ／３３となる。
【００５６】
ここで、電子体温計１００の右振れが開始してから完了するまでにかかる振れ時間Ｔは、モーション・センサ２３１の出力に基づいて信号処理部２３２が検出した検出結果（振れ方向の変更タイミング）に基づいて算出することができる。
【００５７】
具体的には、信号処理部２３２から出力されたＯＮ信号とＯＮ信号との間隔の１／２を算出することにより求めることができる。
【００５８】
なお、モーション・センサ２３１が加速度センサの場合には、左方向に振られた電子体温計１００の振れ方向が、右方向の振れに変更された振れ方向の変更タイミングと、右方向に振られた電子体温計１００の振れ方向が左方向の振れに変更された振れ方向の変更タイミングとの間隔を算出することができるため、これに基づいて求めるように構成してもよい。
【００５９】
このように、表示制御部２４４では、体温に関する情報を可視化するために以下のように動作する。
・発光部２５２において可視化すべき体温に関する情報を受信し、これを表現するための発光ドットパターンを生成する。
・信号処理部２３２からの信号の出力間隔に基づいて算出された振れ時間Ｔと、体温に関する情報を表現するのに必要な横方向の発光素子のドット列数とに基づいて、次回の右振れにおける１ドット列当たりの発光時間ｔを算出する。
・発光部２５２において可視化すべき体温に関する情報に基づいて、可視化する際の発光色を選択し、選択した発光色に対応する発光素子列に切り替える。
・信号処理部２３２からの信号（振れ方向の変更タイミング）の出力を発光開始タイミングとして、切り替えられた発光素子列を構成する各発光素子を、生成された発光ドットパターンと、算出された１ドット列数あたりの発光時間ｔとに基づいて発光させる。
【００６０】
６．測定された体温と発光色との関係
次に、可視化する際の発光色の選択方法について説明する。図６は測定された体温と発光色との関係を定義したテーブルである。図６に示すテーブルは、表示制御部２４４に予め格納されており、表示制御部２４４では、演算処理部２４６より出力された被検者の体温に基づいて、当該テーブルを用いて発光色を選択する。
【００６１】
図６の例では、測定された体温が３６．０℃未満の場合には、発光色として青色が選択され、３６．０℃以上３７．５℃未満の場合には、発光色として緑色が選択され、３７．５℃以上の場合には、発光色として赤色が選択される。
【００６２】
表示制御部２４４では、選択した発光色に対応する発光素子列が発光するように、制御対象を切り替える。本実施形態に係る電子体温計１００の場合、測定された体温が３６．０℃未満の場合には、発光素子列２５２Ｃが発光するように切り替えられ、３６．０℃以上３７．５℃未満の場合には、発光素子列２５２Ｂが発光するように切り替えられる。また、３７．５℃以上の場合には、発光素子列２５２Ａが発光するように切り替えられる。
【００６３】
なお、図６に示すテーブルは一例であり、測定された体温と発光色との関係は図６に示すテーブルに限られるものではない。
【００６４】
７．発光開始から発光完了までの発光制御処理の内容
次に、発光開始から発光完了までの表示制御部２４４における発光制御処理の内容について説明する。
【００６５】
図７は、表示制御部２４４における、発光開始から発光完了までの発光制御処理の内容を説明するための図である。図７において、（Ａ）は振れ方向の変更タイミングにおいて発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光が完了した状態を示している。
【００６６】
図７の例では、測定された体温が３８．５℃であるため、発光素子列２５２Ａが発光するように切り替えられている。発光素子列２５２Ａは、発光ドットパターンのうち、発光開始タイミングからの経過時間に対応するドット列に基づいて赤色の発光を行うように制御される。
【００６７】
同様に、図８は、表示制御部２４４における、発光開始から発光完了までの発光制御処理の内容を説明するための図である。図７との違いは、図８の場合、測定された体温が３６．５℃であるため、発光素子列２５２Ｂが発光するように切り替えられている点である。発光素子列２５２Ｂは、発光ドットパターンのうち、発光開始タイミングからの経過時間に対応するドット列に基づいて緑色の発光を行うように制御される。
【００６８】
同様に、図９は、表示制御部２４４における、発光開始から発光完了までの発光制御処理の内容を説明するための図である。図７との違いは、図９の場合、測定された体温が３５．５℃であるため、発光素子列２５２Ｃが発光するように切り替えられている点である。発光素子列２５２Ｃは、発光ドットパターンのうち、発光開始タイミングからの経過時間に対応するドット列に基づいて青色の発光を行うように制御される。
【００６９】
一方、図１０は、表示制御部２４４における、発光開始から発光完了までの発光制御処理の内容を説明するための図であるが、図７との違いは、振れ時間Ｔが図７の振れ時間Ｔより小さい点にある。
【００７０】
なお、振れ時間Ｔが小さい場合とは、振れ速度が同じで振れ幅が小さい場合と、振れ幅が同じで振れ速度が大きい場合とが考えられるが、どちらの場合も発光制御処理の内容としては同じである。このため、図１０では、振れ速度が同じで振れ幅が小さい場合について示している。
【００７１】
図１０に示すように、振れ時間Ｔが図７の振れ時間Ｔより小さい場合、発光時間ｔは、図７の発光時間よりも短くなり、結果として、表現される文字の大きさ（横方向の大きさ）は、小さくなる。このように、本実施形態に係る電子体温計１００では、ユーザが小さく振った場合に、それに対応して、より小さい文字により体温に関する情報を可視化させることができる。
【００７２】
なお、振れ幅が同じで振れ速度が大きい場合には、発光時間ｔは、図７の発光時間よりも短くなるが、振れ速度が大きい分、短い発光時間の間に移動する距離が大きくなるため、結果として、表現される文字の大きさ（横方向の大きさ）は、図７の場合と同じとなる。
【００７３】
同様に、図１１は、表示制御部２４４における、発光開始から発光完了までの発光制御処理の内容を説明するための図である。図７との違いは、図１１の場合、振れ時間Ｔが図７の振れ時間Ｔより大きい点にある。
【００７４】
なお、振れ時間Ｔが大きい場合とは、振れ速度が同じで振れ幅が大きい場合と、振れ幅が同じで振れ速度が小さい場合とが考えられるが、どちらの場合も発光制御処理の内容としては同じである。このため、図１１では、振れ速度が同じで振れ幅が大きい場合について示している。
【００７５】
図１１に示すように、振れ時間Ｔが図７の振れ時間Ｔより大きい場合、発光時間ｔは、図７の発光時間よりも長くなり、結果として、表現される文字の大きさ（横方向の大きさ）は、大きくなる。このように、本実施形態に係る電子体温計１００では、ユーザが大きく振った場合に、それに対応して、より大きい文字により体温に関する情報を可視化させることができる。
【００７６】
なお、振れ幅が同じで振れ速度が小さい場合には、発光時間ｔは、図７の発光時間よりも長くなるが、振れ速度が小さい分、長い発光時間の間に移動できる距離は小さくなるため、結果として、表示される文字の大きさ（横方向の大きさ）は、図７の場合と同じとなる。
【００７７】
このように、制御対象として切り替えられた発光素子列の各発光素子は、信号処理部２３２からの信号（振れ方向の変更タイミングを示す信号）の出力を発光開始タイミングとして、それぞれのタイミングで発光すべき発光ドットパターンを、算出された１ドット列当たりの発光時間分だけ発光させることで、電子体温計１００では右振れが完了するまでの間に、例えば“３８．５℃”なる文字を当該体温に応じて選択された発光色により可視化させることができる。つまり、ユーザが振った場合の各振れ時間のばらつきを考慮して文字を可視化させることができ、かつ、そのとき可視化される文字を、測定された体温に対応する色にすることができる。
【００７８】
８．電子体温計の体温測定手順
続いて、図１２を用いて電子体温計１００における体温測定処理の流れを説明する。図１２は電子体温計１００の体温測定処理の流れを示すフローチャートである。なお、本実施形態では、例えば、特開２００７−２４５３０号公報などに開示された予測式の体温測定方法を用いて体温測定を行うものとする。
【００７９】
ＯＮ／ＯＦＦスイッチ１０４が押下されると、電子体温計１００の電源がＯＮとなり、ステップＳ１２０１に進む。
【００８０】
ステップＳ１２０１では、電子体温計１００の初期化が行われ、温度計測部２２０による温度値の検出が開始される。例えば、０．５秒おきに温度計測部２２０を用いて温度値が検出される。
【００８１】
ステップＳ１２０２では、例えば、前回実測値（つまり０．５秒前の実測値）からの上昇が所定の値（例えば１度）以上となる温度値を計測した時点を、予測式の基準点（ｔ＝０）と設定し、ＲＡＭ２４２に特定タイミングと実測値のデータ（時系列データ）として記憶を開始する。つまり、急激な温度上昇を検出することにより、被検者の所定の測定部位に電子体温計１００が装着されたとみなす。
【００８２】
ステップＳ１２０３からステップＳ１２０７までは、周知の予測式の体温測定方法を用いて体温を予測する処理であり、その詳細に関しては、例えば、特開２００７−２４５３０号公報などに記載されているため、ここでは簡潔に説明することとする。
【００８３】
ステップＳ１２０３では、測定中に計測温度の低下が観測されたか否かを判断する。所定の温度低下が見られる場合は、ステップＳ１２１２に進み、所定の温度低下が見られない場合にはステップＳ１２０４に進む。
【００８４】
ステップＳ１２１２では、計測されたデータの補正処理を行う。補正処理が正常に行われた場合にはステップＳ１２０２に戻る。一方、補正処理が正常に終了しない場合には、ステップＳ１２１３に進む。ステップＳ１２１３では、エラーを告げるブザー２６０を鳴動し、体温測定処理を終了する。
【００８５】
一方、ステップＳ１２０４では、ステップＳ１２０２で記憶されたデータを用いて、前述した予測式の体温測定方法を用いて逐次予測値を導出（例えば、０．５秒間隔で導出）する。
【００８６】
ステップＳ１２０５では、基準点（ｔ＝０）から所定時間（例えば１６秒）だけ経過した後、例えばステップＳ１２０４で導出した複数の群に対応するそれぞれの予測値の変化に基づいて群分け判定を行う。
【００８７】
ステップＳ１２０６では、ステップＳ１２０５によって決定された群以外の演算を停止し、判定された群における予測演算を引き続き所定の時間導出する。
【００８８】
ステップＳ１２０７では、基準点（ｔ＝０）から所定時間（例えば３０秒）だけ経過した時点で、ステップＳ１２０６における処理の結果導出された一定区間（例えばｔ＝２５〜３０秒）における予測値があらかじめ設定された予測成立条件を満たすかどうかをチェックする。具体的には、所定の範囲（例えば０．１度）に収まっているか否かをチェックする。
【００８９】
ステップＳ１２０７において予測成立条件を満たしたと判定された場合には、ステップＳ１２０８に進む。一方、予測成立条件を満たさない場合は、ステップＳ１２１４に進む。
【００９０】
ステップＳ１２１４では、例えばタイマーなどで計測開始から所定時間（例えば４５秒）が経過したか否かを監視し、経過した時は、強制的に予測を成立させ、ステップＳ１２０８に進む。つまり、その時点で導出されている予測値をそのまま最終予測値とみなす。
【００９１】
ステップＳ１２０８では予測成立を告げるブザー２６０を鳴らし、ステップＳ１２０９に進む。ステップＳ１２０９では、導出された体温の予測値を測定結果として出力部２５０の表示部２５１に表示する。
【００９２】
ステップＳ１２１０では、電子体温計１００の横方向に往復で振られているかを判定する。横方向に往復で振られていると判定された場合には、ステップＳ１２１５に進み、横方向に往復で振られていないと判定された場合には、ステップＳ１２１１に進む。
【００９３】
ステップＳ１２１５では、表示制御部２４４が、測定された体温の予測値を発光部２５２において可視化するための可視化処理（可視化処理のフローの詳細は後述）を実行する。
【００９４】
ステップＳ１２１１では、体温測定終了の指示を受け付けたか否かを判定する。体温測定終了の指示は、例えば、電源ＯＮ／ＯＦＦスイッチ１０４が押下されたか否かに基づいて判定してもよいし、ステップＳ１２０９における表示から一定時間経過した場合に体温測定終了の指示があったとみなすようにしてもよい。以上のステップを経て、体温測定処理を終了し、電源をＯＦＦにする。
【００９５】
９．可視化処理の流れ
次に、図１３を用いて、測定された体温の予測値を発光部２５２において可視化するための表示制御部２４４における処理の流れについて説明する。
【００９６】
図１２のステップＳ１２１０において、電子体温計１００において横方向に往復で振られていると判定されると、図１３に示す処理が開始される。
【００９７】
ステップＳ１３０１では、図６に示すテーブルを参照して、測定された体温の予測値に対応する発光色を選択する。
【００９８】
ステップＳ１３０２では、ステップＳ１３０１において選択された発光色に対応する発光素子列を制御対象として切り替える。
【００９９】
ステップＳ１３０３では、信号処理部２３２からの信号の出力間隔に基づいて、電子体温計１００の右振れの振れ時間Ｔを算出する。
【０１００】
ステップＳ１３０４では、測定された体温の予測値に基づいて、発光部２５２において可視化すべき体温に関する情報を表現するための発光ドットパターンを生成する。
【０１０１】
ステップＳ１３０５では、ステップＳ１３０３において算出された右振れの振れ時間Ｔと、ステップＳ１３０４において生成された発光ドットパターンを表現するのに必要な右振れ方向の発光素子のドット列数とに基づいて、１ドット列当たりの発光時間ｔを算出する。
【０１０２】
ステップＳ１３０６では、ステップＳ１３０２において切り替えられた発光素子列について、信号処理部２３２からの信号の出力を受信したタイミングで、生成された発光ドットパターンと、算出された１ドット列当たりの発光時間ｔとに基づいて、各発光素子の発光の制御を開始する。
【０１０３】
ステップＳ１３０７では、信号処理部２３２からの信号の出力が継続しているか否かを判定し、継続していると判定された場合には、ステップＳ１３０３に戻る。一方、信号処理部２３２からの信号の出力がないと判定された場合には、可視化処理を終了する。
【０１０４】
以上の説明から明らかなように、本実施形態に係る電子体温計１００では、複数の発光素子からなる発光素子列が複数配列され、各発光素子列ごとに異なる発光色で発光するよう構成された発光部２５２と、電子体温計１００の振れを検出するモーション・センサ２３１と、測定された体温に応じて発光部２５２のいずれかの発光素子列に切り替え、当該切り替えた発光素子列を構成する発光素子の発光を制御する表示制御部２４４とを備える構成とした。
【０１０５】
そして、電子体温計が横方向に往復で振られている際に、切り替えた発光素子列の発光を適切に制御することで、測定された被検者の体温を、該体温に応じた色によりユーザが空間上で視認できるよう構成した。
【０１０６】
この結果、電子体温計において、体温を測定する際の利便性を損なうことなく、ユーザにとってより発熱がわかりやすい表示を実現することが可能となった。特に、当該電子体温計によれば、体温に応じて発光色が変わるため、ユーザは、被検者の発熱の有無及び状態等を一目で認識することができるようになる。
【０１０７】
［第２の実施形態］
上記第１の実施形態では、互いに発光色の異なる発光素子列２５２Ａ〜２５２Ｃを別々に配列し、測定された体温に応じて切り替えて発光させることで、測定された体温に応じた色の文字を可視化させる構成としたが本発明はこれに限定されない。
【０１０８】
互いに発光色の異なる複数の発光素子からなる発光素子群を共通の開口部（発光窓）内に配置し、当該発光素子群を複数配列することで発光素子群列を形成するようにしてもよい。この場合、各発光窓からは、発光素子群を構成する各発光素子により発光された光が混色されて放射されることとなる。つまり、発光素子群を構成する各発光素子の発光量を調整することにより、任意の色の光を発光窓から放射させることが可能となる。
【０１０９】
以下、本実施形態の詳細を以下に説明する。なお、説明は、上記第１の実施形態と異なる点を中心に行うものとする。
【０１１０】
１．電子体温計の外観構成
図１４は、本発明の第２の実施形態に係る電子体温計１４００の外観構成の一例を示す図である。参照番号１０１、１０３、１０４は上記第１の実施形態において説明済みであるため、ここでは説明を省略する。
【０１１１】
図１４において、１４０２は発光部であり、ＬＥＤ等の発光素子が内部に複数配置してなる発光素子群により発光された光が混色されて放射される発光窓が、電子体温計１４００の長手方向に複数配列されている。つまり、複数の発光素子からなる発光素子群が、長手方向に複数配列された発光素子群列が形成されている。
【０１１２】
なお、図１４の例では、発光部１４０２として発光素子群が電子体温計１４００の長手方向に７個配列された場合について図示しているが、電子体温計１４００の長手方向に配列される発光素子群の数は７個に限られない。
【０１１３】
２．発光部１４０２の断面構成
次に、図１５を用いて発光部１４０２の断面構成について説明する。図１５は、図１４のＡ−Ａ断面を示す図である。図１５に示すように、発光窓１５０１の内部には、ＬＥＤ等の発光素子が複数配置され（１５０２Ａ、１５０２Ｂ、１５０３Ｃ）、発光素子群を形成している。各発光素子は互いに発光色が異なっており、本実施形態では、発光素子１５０２Ａが赤色に発光し、発光素子１５０２Ｂが緑色に発光し、発光素子１５０２Ｃが青色に発光するよう構成されているものとする。
【０１１４】
ただし、発光素子群を形成する各発光素子の発光色の組み合わせはこれに限定されるものではなく、他の発光色を発光する発光素子が含まれていてもよい。
【０１１５】
また、発光素子群を形成する発光素子の数は３個に限られず、２個以上であれば何個であってもよい。
【０１１６】
３．電子体温計のシステム構成
電子体温計１４００のシステム構成は、第１の実施形態において図２を用いて説明した電子体温計１００のシステム構成と基本的に同じであるため、ここでは説明を省略する。
【０１１７】
なお、図２における発光素子列２５２Ａを構成する複数の発光素子の１つが、図１５の発光素子１５０２Ａに対応しており、発光素子列２５２Ｂを構成する複数の発光素子の１つが、図１５の発光素子１５０２Ｂに対応しており、発光素子列２５２Ｃを構成する複数の発光素子の１つが、図１５の発光素子１５０２Ｃに対応している。
【０１１８】
また、上記第１の実施形態では、表示制御部２４４が、測定された体温に応じて、３つの発光素子列２５２Ａ〜２５２Ｃのうちのいずれか１つの発光素子列に切り替える切り替え機能を有していた。
【０１１９】
これに対して、本実施形態に係る電子体温計１４００の場合、表示制御部２４４が、測定された体温に応じた色が発光窓から放射されるように、各発光素子列２５２Ａ〜２５２Ｃに印加する電流値を調整する調整機能を有している。
【０１２０】
このように、発光部１４０２の各発光素子が調整された電流値により発光している状態で、ユーザが電子体温計１４００を往復で振ることで、ユーザは、目の残像効果の影響により、被検者の体温に関する情報を空間上において、体温に応じた色の文字として視認することができる。
【０１２１】
４．測定された体温と発光色との関係
次に、可視化する際の発光色の選択方法について説明する。図１６は測定された体温と発光色との関係を示した図である。図１６に示す関係を規定したテーブルは、表示制御部２４４に予め格納されており、表示制御部２４４では、演算処理部２４６より出力された被検者の体温に基づいて、当該関係に基づく発光色を選択する。
【０１２２】
図１６の場合、測定された体温が低い場合には、発光色として青色が強い色が選択され、測定された体温が普通（平熱）の場合には、発光色として緑色が強い色が選択され、測定された体温が高い場合には、発光色として赤色が強い色が選択されることとなる。
【０１２３】
図１６に示すように、本実施形態の場合、測定された体温の変化に応じて、発光色が連続的に変化する。つまり、測定された体温に対応する発光色が、青色→緑色→赤色の３色のグラデーションとして定義されている。
【０１２４】
表示制御部２４４では、選択された発光色が発光窓から放射されるように、各発光素子群を構成する各発光素子に印加する電流値を調整する。
【０１２５】
なお、図１６に示す関係は一例であり、測定された体温と発光色との連続的な関係は、図１６に示す関係に限られるものではない。
【０１２６】
５．可視化処理の流れ
次に、図１７を用いて、測定された体温の予測値を発光部２５２において可視化するための表示制御部２４４における処理の流れについて説明する。
【０１２７】
図１２のステップＳ１２１０において、電子体温計１４００において横方向に往復で振られていると判定されると、図１７に示す処理が開始される。
【０１２８】
ステップＳ１７０１では、図１６に示す関係を参照して、測定された体温の予測値に対応する発光色を選択する。
【０１２９】
ステップＳ１７０２では、ステップＳ１７０１において選択された発光色となるように、各発光素子群を構成する各発光素子に印加する電流値を決定する。
【０１３０】
ステップＳ１３０３〜ステップＳ１３０５に示す処理は、図１３のステップＳ１３０３〜ステップＳ１３０５に示す処理と同じであるため、ここでは説明を省略する。
【０１３１】
ステップＳ１７０６では、信号処理部２３２からの信号の出力を受信したタイミングで、生成された発光ドットパターンと、算出された１ドット列当たりの発光時間ｔとに基づいて、ステップＳ１７０２において決定された電流値により、各発光素子を発光させるよう制御を開始する。
【０１３２】
ステップＳ１３０７に示す処理は、図１３のステップＳ１３０７に示す処理と同じであるため、ここでは説明を省略する。
【０１３３】
以上の説明から明らかなように、本実施形態に係る電子体温計１４００では、発光した光が混色されて発光窓から放射されるように配置された複数の発光素子からなる発光素子群が、複数配列された発光素子群列を備え、測定された体温に応じて、各発光素子群に含まれる各発光素子に印加する電流値を調整する構成とした。
【０１３４】
そして、電子体温計が横方向に往復で振られている際に、電流値が調整された各発光素子の発光を適切に制御することで、測定された被検者の体温を、該体温に応じた色の文字によりユーザが空間上で視認することができるよう構成した。
【０１３５】
この結果、電子体温計において、体温を測定する際の利便性を損なうことなく、ユーザにとってより見やすい表示を実現することが可能となった。特に、当該電子体温計によれば、体温に応じて発光色が連続的に変わるため、ユーザは、被検者の発熱の有無等を一目で認識することができるようになる。
【０１３６】
［第３の実施形態］
上記第１の実施形態では、モーション・センサ２３１の出力に基づいて、信号処理部２３２が振れ方向の変更タイミングを出力する構成について説明したが、本発明はこれに限定されない。
【０１３７】
モーション・センサ２３１として加速度センサを用いた場合にあっては、信号処理部２３２において、電子体温計の振れ方向の変更位置ならびに振れ方向の変更位置からの距離を出力するように構成してもよい。
【０１３８】
更に、信号処理部２３２から、電子体温計の振れ方向の変更位置ならびに振れ方向の変更位置からの距離が出力されることに伴って、表示制御部２４４が、該振れ方向の変更位置からの距離に応じた発光を行うように発光部２５２を制御する構成としてもよい。以下、本実施形態の詳細について説明する。なお、説明は、上記第１の実施形態と異なる点を中心に行うものとする。
【０１３９】
１．信号処理部における信号処理
まず、発光部２５２における発光開始／発光完了の位置を規定するための信号（振れ方向の変更位置を示す信号）ならびに該振れ方向の変更位置からの距離を示す信号を出力する信号処理部２３２における信号処理の内容について説明する。
【０１４０】
図１８は、信号処理部２３２における信号処理の内容を説明するための図である。図１８の（Ａ）は、モーション・センサ２３１が加速度センサである場合に、ユーザによって電子体温計１００が往復で振られた際のモーション・センサ２３１の出力を示した図である。
【０１４１】
上述したように、電子体温計１００では、横方向の往復の振れのうち、右振れの間、発光部２５２のいずれかの発光素子列の発光を制御する。このため、信号処理部２３２では、左振れしていた電子体温計１００の振れ方向が右振れに変更された位置（振れ方向の変更位置）を検出する。また、右振れ中における振れ方向の変更位置からの距離を算出する。
【０１４２】
図１８の（Ａ）に示すように、電子体温計１００の往復の振れに応じて、加速度センサからは正弦波状の信号が出力される。
【０１４３】
このため、信号処理部２３２では、加速度センサより出力された信号の傾きがゼロになるタイミング（つまり、振れ速度がゼロになるタイミング）を検出する。
【０１４４】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。信号処理部２３２では、これら２種類のタイミングを抽出し、その信号（振れ方向の変更位置を示す信号）を表示制御部２４４に出力する。
【０１４５】
さらに、左振れしていた電子体温計１００の振れ方向が、右振れに変更されたタイミングにおける電子体温計１００の位置（振れ方向の変更位置１８０１）を基準位置として、加速度センサより出力された信号を２回積分することにより、もう一方の振れ方向の変更位置１８０２（右振れしていた電子体温計１００の振れ方向が、左振れに変更されたタイミングにおける電子体温計１００の位置）までの、該基準位置からの距離を算出する（図１８の（Ｂ）参照）。算出された基準位置からの距離を示す信号は、表示制御部２４４に出力される。
【０１４６】
なお、本発明は、振れ方向の変更位置からの距離を検出するモーション・センサ２３１として、上述のような加速度センサを用いることに限定されるものではなく、振れ方向の変更位置からの距離を検出することが可能であれば、他のセンサを用いるようにしてもよい。
【０１４７】
２．表示制御部において生成される発光ドットパターン
次に、表示制御部２４４において生成される発光ドットパターンについて説明する。図１９は、表示制御部２４４において生成される発光ドットパターンの一例を示す図である。
【０１４８】
図１９に示すように、発光ドットパターンは、発光部２５２のいずれかの発光素子列により可視化される仮想的な表示領域における表示であり、発光素子列として配列された発光素子の数と、所定の方向に振られている間の発光素子の発光回数であるドット列数と、各ドット列の振れ方向の変更位置１８０１からの距離とにより規定される。
【０１４９】
図１９において、黒い丸及び白い丸は、電子体温計１００が横方向の振れに伴って移動した場合の、各発光タイミングにおける発光素子のＯＦＦ／ＯＮを示している。本実施形態では、１文字（ただし、「点」は除く）を表現するのに、横方向５ドットと縦方向７ドット（７つの発光素子）とを用いるものとする。また、横方向の文字と文字の間には、２ドット列数分の発光素子の空白が設けられるものとする。
【０１５０】
このため、体温に関する情報として、例えば“３８．５℃”の５文字（“３”、“８”、“．”、“５”及び“℃”）を表現するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【０１５１】
つまり、電子体温計１００の右振れが開始してから完了するまでの間に、発光素子は、３３ドット列数からなる発光ドットパターンを出力することとなる。このとき各ドット列の発光位置は、各ドット列の振れ方向の変更位置からの距離ｘ１、ｘ２、・・・、ｘ３３により規定される。
【０１５２】
このように、表示制御部２４４では、体温に関する情報を可視化するために以下のように動作する。
・発光部２５２において可視化すべき体温に関する情報を受信し、これを表現するための発光ドットパターンを生成する。
・発光ドットパターンにおいて各ドット列の振れ方向の変更位置からの距離を規定する。
・発光部２５２において可視化すべき体温に関する情報に基づいて、可視化する際の発光色を選択し、選択した発光色に対応する発光素子列に切り替える。
・信号処理部２３２から出力された振れ方向の変更位置を示す信号の出力を発光開始位置として制御を開始し、信号処理部２３２から出力された振れ方向の変更位置からの距離を示す信号が、規定された各ドット列の振れ方向の変更位置からの距離と一致した場合に、切り替えられた発光素子列を、対応するドット列に従って発光させる。
【０１５３】
なお、所定のドット列に基づく発光は、電子体温計１００が次のドット列に基づく発光が行われる位置に到達するまでの間、継続される。
【０１５４】
３．発光開始から発光完了までの発光制御処理の内容
次に、本実施形態における発光開始から発光完了までの表示制御部２４４における発光制御処理の内容について説明する。
【０１５５】
図２０は、表示制御部２４４における、発光開始から発光完了までの発光制御処理の内容を説明するための図である。図２０において、（Ａ）は振れ方向の変更位置において発光を開始した状態を示している。また、（Ｂ）及び（Ｃ）は、振れ幅Ｌの１／３の位置に到達した状態及び２／３の位置に到達した状態をそれぞれ示している。さらに、（Ｄ）は振れ幅Ｌの位置に到達し、発光が完了した状態を示している。
【０１５６】
図２０の例では、測定された体温が３８．５℃であるため、発光素子列２５２Ａが発光するように切り替えられている。発光素子列２５２Ａは、振れ方向の変更位置からの距離に対応するドット列に従って赤色に発光するよう制御される。
【０１５７】
同様に、図２１は、表示制御部２４４における、発光開始から発光完了までの発光制御処理の内容を説明するための図である。図２０との違いは、図２１の場合、測定された体温が３６．５℃であるため、発光素子列２５２Ｂが発光するように切り替えられている点である。発光素子列２５２Ｂは、振れ方向の変更位置からの距離に対応するドット列に従って緑色に発光するよう制御される。
【０１５８】
同様に、図２２は、表示制御部２４４における、発光開始から発光完了までの発光制御処理の内容を説明するための図である。図２０との違いは、図２２の場合、測定された体温が３５．５℃であるため、発光素子列２５２Ｃが発光するように切り替えられている点である。発光素子列２５２Ｃは、振れ方向の変更位置からの距離に対応するドット列に従って青色に発光するよう制御される。
【０１５９】
一方、図２３は、表示制御部２４４における、発光開始から発光完了までの発光制御処理の内容を説明するための図である。本実施形態において用いられる発光ドットパターンは、振れ幅（Ｌ１）に応じて各ドット列の振れ方向の変更位置からの距離を規定しているため、図２３の場合、図２０の場合と比較して、表現される文字の大きさ（横方向の大きさ）は、小さくなる。
【０１６０】
同様に、図２４は、表示制御部２４４における、発光開始から発光完了までの発光制御処理の内容を説明するための図である。本実施形態において用いられる発光ドットパターンは、振れ幅（Ｌ２）に応じて各ドット列の振れ方向の変更位置からの距離を規定しているため、図２０の場合と比較して、表現される文字の大きさ（横方向の大きさ）は、大きくなる。
【０１６１】
このように、本実施形態の場合、信号処理部２３２からの信号（振れ方向の変更位置）の出力を発光開始位置として制御を開始し、規定された振れ方向の変更位置からの距離に到達するごとに、対応するドット列に従っていずれかの発光素子列を構成する各発光素子を順次発光させていくため、ユーザが電子体温計を振る場合に生じる、振れ幅や振れ速度のばらつきを吸収することができる。また、第１の実施形態と同様に、測定された体温に対応する色により発光されるため、ユーザは、被検者の発熱の有無を一目で認識することができる。
【０１６２】
４．可視化処理の流れ
次に、図２５を用いて、本実施形態における可視化処理の流れについて説明する。図１２のステップＳ１２１０において、電子体温計１００が横方向に往復で振られていると判定されると、図２５に示す処理が開始される。
【０１６３】
ステップＳ１３０１では、図６に示すテーブルを参照して、測定された体温の予測値に対応する発光色を選択する。
【０１６４】
ステップＳ１３０２では、ステップＳ１３０１において選択された発光色に対応する発光素子列を制御対象として切り替える。
【０１６５】
ステップＳ２５０３では、信号処理部２３２からの信号（振れ方向の変更位置を示す信号）に基づいて、電子体温計１００の振れ幅を算出する。
【０１６６】
ステップＳ２５０４では、測定された体温の予測値に基づいて、発光部２５２において可視化すべき体温に関する情報を表現するための発光ドットパターンを生成する。このとき、各ドット列の振れ方向の変更位置からの距離を、ステップＳ２５０３において算出された振れ幅に基づいて規定する。
【０１６７】
ステップＳ２５０５では、信号処理部２３２からの信号に基づいて、電子体温計１００の振れ方向の変更位置を識別する。
【０１６８】
ステップＳ２５０６では、ステップＳ２５０５において識別された振れ方向の変更位置を基準として制御を開始する。具体的には、信号処理部２３２からの信号（振れ方向の変更位置からの距離を示す信号）が、ステップＳ２５０４において生成された発光ドットパターンを構成する各ドット列について規定された距離に一致した場合に、ステップＳ１３０２において切り替えられた発光素子列を構成する各発光素子を、対応するドット列に従って発光させる。
【０１６９】
ステップＳ１３０７では、信号処理部２３２からの信号の出力が継続しているか否かを判定し、継続していると判定された場合には、ステップＳ２５０３に戻る。一方、信号処理部２３２からの信号の出力がないと判定された場合には、可視化処理を終了する。
【０１７０】
以上の説明から明らかなように、本実施形態に係る電子体温計では、複数の発光素子からなる発光素子列が複数配列され、各発光素子列ごとに発光色が異なる発光部２５２と、電子体温計１００の振れを検出するモーション・センサ２３１と、測定された体温に応じて発光部２５２のいずれかの発光素子列に切り替え、当該切り替えた発光素子列を構成する各発光素子の発光を制御する表示制御部２４４とを備える構成とした。
【０１７１】
そして、電子体温計が横方向に往復で振られている際に、切り替えられた発光素子列の発光を適切に制御することで、測定された被検者の体温を、該体温に応じた色の文字によりユーザが空間上で視認できるよう構成した。
【０１７２】
この結果、電子体温計において、体温を測定する際の利便性を損なうことなく、ユーザにとってより見やすい表示を実現することが可能となった。特に、当該電子体温計によれば、体温に応じて発光色が変わるため、ユーザは、被検者の発熱の有無を一目で認識することができるようになる。
【０１７３】
［第４の実施形態］
上記第３の実施形態では、互いに発光色の異なる発光素子列２５２Ａ〜２５２Ｃを別々に配列し、測定された体温に応じて切り替えることで、測定された体温に応じた色の文字を可視化させる構成としたが本発明はこれに限定されない。
【０１７４】
上記第２の実施形態と同様に、互いに発光色の異なる複数の発光素子からなる発光素子群を共通の発光窓に配置し、当該発光素子群を複数配列することで発光素子群列を形成するようにしてもよい。
【０１７５】
［第５の実施形態］
上記第の実施形態では、発光素子としてＬＥＤを用いる場合について説明したが、本発明はこれに限定されず、例えば、有機ＥＬ等、他の発光素子を用いるようにしてもよい。
【０１７６】
また、上記第１乃至５の実施形態では、発光部により可視化された被検者の体温に関する情報として、予測された体温を用いる場合について説明したが、本発明はこれに限定されず、実測された体温を用いるようにしてもよい。また、可視化される情報は、被検者の体温に限定されず、他の情報であってもよいことはいうまでもない。
【０１７７】
また、上記第１乃至５の実施形態では、各文字を均等に配置するように発光ドットパターンを生成することとしたが、本発明はこれに限定されず、不均等に配置してもよいし、全体として右寄りに（あるいは左寄り）に配置するように構成してもよい。
【図１】
2010210525.tif 000003
【図２】
2010210525.tif 000004
【図４】
2010210525.tif 000005
【図５】
2010210525.tif 000006
【図６】
2010210525.tif 000007
【図７】
2010210525.tif 000008
【図８】
2010210525.tif 000009
【図９】
2010210525.tif 000010
【図１０】
2010210525.tif 000011
【図１１】
2010210525.tif 000012
【図１２】
2010210525.tif 000013
【図１３】
2010210525.tif 000014
【図１４】
2010210525.tif 000015
【図１５】
2010210525.tif 000016
【図１７】
2010210525.tif 000017
【図１８】
2010210525.tif 000018
【図１９】
2010210525.tif 000019
【図２０】
2010210525.tif 000020
【図２１】
2010210525.tif 000021
【図２２】
2010210525.tif 000022
【図２３】
2010210525.tif 000023
【図２４】
2010210525.tif 000024
【図２５】
2010210525.tif 000025
【図３】
2010210525.tif 000026
【図１６】
2010210525.tif 000027